【手続補正書】
【提出日】平成19年11月9日(2007.11.9)
【手続補正１】
【補正対象書類名】明細書
【補正対象項目名】特許請求の範囲
【補正方法】変更
【補正の内容】
【特許請求の範囲】
【請求項１】  電子機器の起動または停止の動作を制御する電源スイッチを覆うスイッチカバーにおいて、前記電源スイッチの位置および設定状態を判別可能な透明または半透明の材質を有し、前記スイッチカバーの主要部であるスイッチカバー本体と、前記電子機器の筐体の一部と嵌合可能に形成された前記スイッチカバー本体の両端から伸びる嵌合部と、該嵌合部とスイッチカバー本体が交差する位置に形成された溝と、前記スイッチカバー本体の表面に形成された少なくとも１本の溝とを備えることを特徴とするスイッチカバー。
【請求項２】  前記嵌合部の幅は前記スイッチカバー本体と同じまたは大きく形成されていることを特徴とする請求項１に記載のスイッチカバー。
【請求項３】  前記スイッチカバーは、前記嵌合部と前記スイッチカバー本体が交差する位置と前記スイッチカバー本体の表面に形成された両溝によって、前記スイッチカバーに押圧力を加えても、前記スイッチの制御の設定の変更を妨げない場所に位置することを特徴とする請求項１または２に記載のスイッチカバー。
【請求項４】  前記スイッチカバーは、前記嵌合部と前記スイッチカバー本体が交差する位置と前記スイッチカバー本体の表面に形成された両溝によって、前記スイッチカバーに押圧力を加えても、前記スイッチの制御の設定の変更を妨げない形状になることを特徴とする請求項１または２に記載のスイッチカバー。
【請求項５】  前記嵌合部と前記スイッチカバー本体が交差する位置と前記スイッチカバー本体の表面に形成された両溝は、平行であること特徴とする請求項１〜４のいずれか１項に記載のプリンタ。
【請求項６】  前記スイッチカバー本体の表面に形成された前記溝は、前記電源スイッチを動作させるために前記スイッチカバー本体に形成された穴に掛かる位置に形成されていることを特徴とする請求項１〜５のいずれか１項に記載のスイッチカバー。
【請求項７】  前記穴の数は２つであり、１つはスイッチの電源をオフにし、１つはスイッチの電源をオンにすることを可能にするために前記電源スイッチに対応して形成された穴であることを特徴とする請求項６に記載のスイッチカバー。
【請求項８】  前記スイッチカバー本体の表面に形成された１本の溝は、前記スイッチカバー本体表面に形成された２つの穴に掛かる位置に形成されていることを特徴とする請求項７に記載のスイッチカバー。
【請求項９】  前記スイッチカバー本体に形成された２つの穴にそれぞれ対応する２本の平行な溝が、前記スイッチカバー本体の表面に形成されていることを特徴とする請求項７に記載のスイッチカバー。
【請求項１０】  起動および停止の動作を制御する電源スイッチと、該電源スイッチを覆うスイッチカバーと、該スイッチカバーを取り付ける取り付け部とを備えるプリンタにおいて、前記スイッチカバーは、前記電源スイッチの位置および設定状態を判別可能な透明または半透明の材質を有し、前記スイッチカバーの主要部であるスイッチカバー本体と、前記プリンタの筐体の一部と嵌合可能に形成された前記スイッチカバー本体の両端から伸びる嵌合部と、該嵌合部と前記スイッチカバー本体が交差する位置に形成された溝と、前記スイッチカバー本体の表面に形成された少なくとも１本の溝とを備えることを特徴とするプリンタ。
【請求項１１】  前記嵌合部と前記スイッチカバー本体が交差する位置と前記スイッチカバー本体の表面に形成された両溝は、平行であること特徴とする請求項１０に記載のプリンタ。
【請求項１２】  前記スイッチカバー本体の表面に形成された前記溝は、前記電源スイッチを動作させるために前記スイッチカバー本体に形成された穴に掛かる位置に形成されていることを特徴とする請求項１０または１１に記載のプリンタ。
【請求項１３】  前記穴の数は２つであり、１つはスイッチの電源をオフにし、１つはスイッチの電源をオンにすることを可能にするために前記電源スイッチに対応して形成された穴であることを特徴とする請求項１２に記載のプリンタ。
【請求項１４】  前記スイッチカバー本体の表面に形成された１本の溝は、前記スイッチカバー本体に形成された２つの穴に掛かる位置に形成されたことを特徴とする請求項１３項に記載のプリンタ。
【請求項１５】  前記スイッチカバー本体に形成された２つの穴にそれぞれ対応する２本の平行な溝が、前記スイッチカバー本体の表面に形成されていることを特徴とする請求項１３項に記載のプリンタ。
【手続補正２】
【補正対象書類名】明細書
【補正対象項目名】発明の名称
【補正方法】変更
【補正の内容】
【発明の名称】スイッチカバー及びそれを備えたプリンタ
【手続補正３】
【補正対象書類名】明細書
【補正対象項目名】０００５
【補正方法】変更
【補正の内容】
【０００５】
前記目的を達成するため、本発明のスイッチカバーは、電子機器の起動または停止の動作を制御する電源スイッチを覆うスイッチカバーにおいて、前記電源スイッチの位置および設定状態を判別可能な透明または半透明の材質を有し、前記スイッチカバーの主要部であるスイッチカバー本体と前記電子機器の筐体の一部と嵌合可能に形成された前記スイッチカバー本体の両端から伸びる嵌合部から成り、該嵌合部とスイッチカバー本体が交差する位置に形成された溝と、前記スイッチカバー本体に少なくとも１本の溝とを備え、
前記嵌合部の幅は前記スイッチカバー本体と同じまたは大きく設定され、
前記スイッチカバーは、前記嵌合部と前記スイッチカバー本体が交差する位置と前記スイッチカバー本体の表面に形成された両溝によって、前記スイッチカバーに押圧力を加えても、前記スイッチの制御の設定の変更を妨げない場所に位置し、
前記スイッチカバーは、前記嵌合部と前記スイッチカバー本体が交差する位置と前記スイッチカバー本体の表面に形成された両溝によって、前記スイッチカバーに押圧力を加えても、前記スイッチの制御の設定の変更を妨げない形状になり、
前記嵌合部と前記スイッチカバー本体が交差する位置と前記スイッチカバー本体の表面に形成された両溝は、平行であり、
前記スイッチカバー本体の表面に形成された前記溝は、前記電源スイッチを動作させるために前記スイッチカバー本体に形成された穴に掛かる位置に形成され、
前記穴の数は２つであり、１つはスイッチの電源をオフにし、１つはスイッチの電源をオンにすることを可能にするために前記電源スイッチに対応して形成された穴であり、
前記スイッチカバー本体の表面に形成された１本の溝は、前記スイッチカバー本体表面に形成された２つの穴に掛かる位置に形成され  、
前記スイッチカバー本体に形成された２つの穴にそれぞれ対応する２本の平行な溝が、前記スイッチカバー本体の表面に形成されていることを特徴とする。
かつ、本発明のプリンタは、起動および停止の動作を制御する電源スイッチと、該電源スイッチを覆うスイッチカバーと、該スイッチカバーを取り付ける取り付け部とを備えるプリンタにおいて、前記スイッチカバーは、前記電源スイッチの位置および設定状態を判別可能な透明または半透明の材質を有し、前記スイッチカバーの主要部であるスイッチカバー本体と、前記プリンタの筐体の一部と嵌合可能に形成された前記スイッチカバー本体の両端から伸びる嵌合部と、該嵌合部と前記スイッチカバー本体が交差する位置に形成された溝と、前記スイッチカバー本体の表面に形成された少なくとも１本の溝とを備え、
前記嵌合部と前記スイッチカバー本体が交差する位置と前記スイッチカバー本体の表面に形成された両溝は、平行であり、
前記スイッチカバー本体の表面に形成された前記溝は、前記電源スイッチを動作させるために前記スイッチカバー本体に形成された穴に掛かる位置に形成され、
前記穴の数は２つであり、１つはスイッチの電源をオフにし、１つはスイッチの電源をオンにすることを可能にするために前記電源スイッチに対応して形成された穴であり、
前記スイッチカバー本体の表面に形成された１本の溝は、前記スイッチカバー本体に形成された２つの穴に掛かる位置に形成され、
前記スイッチカバー本体に形成された２つの穴にそれぞれ対応する２本の平行な溝が、前記スイッチカバー本体の表面に形成されていることを特徴とする。